(57)【要約】【課題】コンテンツを提供するソーシャルネットワークを構築するための装置及び方法を提供する。【解決手段】アンテナを介して地上波コンテンツを受信し、受信した地上波コンテンツの少なくとも一部を記録媒体に格納するコンテンツ提供装置は、コンテンツ提供装置を所有する他の加入者の記録媒体に格納されたコンテンツを検出するコンテンツ検出部と、検出されたコンテンツによって、コンテンツ提供装置を所有する複数の加入者をグループ化する加入者グループ化部と、同一のグループ内の複数の加入者との間で、コンテンツの共有を行うコンテンツ共有部と、を備える。【選択図】図３
2018050270.tif 000002
【特許請求の範囲】
【請求項１】
アンテナを介して地上波コンテンツを受信し、受信した地上波コンテンツの少なくとも一部を記録媒体に格納するコンテンツ提供装置であって、
前記コンテンツ提供装置を所有する他の加入者の前記記録媒体に格納されたコンテンツを検出するコンテンツ検出部と、
検出されたコンテンツによって、前記コンテンツ提供装置を所有する複数の加入者をグループ化する加入者グループ化部と、
同一のグループ内の複数の加入者との間で、コンテンツの共有を行うコンテンツ共有部と、
を備える、
コンテンツ提供装置。
【請求項２】
前記記録媒体は、前記コンテンツ提供装置に内蔵された記録媒体、前記コンテンツ提供装置に接続された外付け記録媒体、前記コンテンツ提供装置に接続された表示装置に内蔵された記録媒体、前記コンテンツ提供装置に接続された表示装置に接続された外付け記録媒体、及び前記コンテンツ提供装置が接続されたネットワークを介して前記コンテンツ提供装置がアクセス可能な記録媒体のうち少なくとも一つを含む、
請求項1に記載のコンテンツ提供装置。
【請求項３】
前記加入者と前記加入者の保有コンテンツを関連付けて格納する加入者保有コンテンツ格納部をさらに備え、
前記コンテンツ検出部は、第１加入者が特定のチャネルの放送コンテンツの録画を開始すると、録画を開始した前記放送コンテンツを特定するためのコンテンツ識別情報を含む録画開始通知を他のコンテンツ提供装置に通知するコンテンツ録画通知部を含み、
前記加入者保有コンテンツ格納部は、前記コンテンツ識別情報により特定される特定チャネルの放送コンテンツを記録媒体に格納し、
前記加入者グループ化部は、前記加入者保有コンテンツ格納部に格納された前記特定チャネルの放送コンテンツと同一のコンテンツに対応する前記コンテンツ識別情報を含む前記録画開始通知を送信した前記他のコンテンツ提供装置の第２加入者と、前記第１加入者とをグループ化し、
前記コンテンツ共有部は、前記第1加入者の録画コンテンツと前記第２加入者の録画コンテンツのうち、重複しないコンテンツを前記第１加入者と前記第２加入者との間で共有させる、
請求項1又は２に記載のコンテンツ提供装置。
【請求項４】
前記コンテンツ共有部は、前記第１加入者の録画コンテンツと前記第２加入者の録画コンテンツのうち、重複しないコンテンツを前記第１加入者と前記第２加入者のそれぞれが必要とする必要コンテンツと判断し、前記第１加入者と前記第２加入者が接続されたネットワークを介して前記必要コンテンツを前記第１加入者と前記第２加入者の記録媒体にそれぞれ転送して記録する、
請求項３に記載のコンテンツ提供装置。
【請求項５】
前記コンテンツ共有部は、前記第１加入者の録画コンテンツと前記第２加入者の録画コンテンツのうち、重複しないコンテンツを前記第１加入者と前記第２加入者のそれぞれが必要とする必要コンテンツと判断し、前記第１加入者と前記第２加入者が接続されたネットワークを介して前記必要コンテンツを前記第１加入者と前記第２加入者との間でＰ２Ｐでストリーミングする、
請求項３に記載のコンテンツ提供装置。
【請求項６】
前記コンテンツ共有部は、前記第１加入者の録画コンテンツと前記第２加入者の録画コンテンツのうち、重複しないコンテンツを前記第１加入者と前記第２加入者のそれぞれが必要とする必要コンテンツと判断して、前記第１加入者と前記第２加入者が接続されたネットワークを介して接続される外部のサーバーの記録媒体に格納し、前記ネットワークを介して前記サーバーから前記必要コンテンツを前記第１加入者と前記第２加入者にストリーミングする、
請求項３に記載のコンテンツ提供装置。
【請求項７】
アンテナを介して地上波コンテンツを受信し、受信した地上波コンテンツの少なくとも一部を記録媒体に格納するコンテンツ提供装置で加入者の間でコンテンツを提供する方法であって、
前記コンテンツ提供装置を所有する他の加入者の前記記録媒体に格納されたコンテンツを検出するコンテンツ検出工程と、
検出されたコンテンツによって、前記コンテンツ提供装置を所有する複数の加入者をグループ化する加入者グループ化工程と、
同一のグループ内の複数の加入者との間で、コンテンツの共有を行うコンテンツ共有工程と、
を備える、
コンテンツ提供方法。
【請求項８】
アンテナを介して地上波コンテンツを受信し、受信した地上波コンテンツの少なくとも一部を記録媒体に格納するコンテンツ提供装置と、複数の前記コンテンツ提供装置を管理する管理装置と、を備えるコンテンツ管理システムでコンテンツを提供する方法であって、
前記管理装置が、
前記コンテンツ提供装置を所有する複数の加入者の記録媒体に格納されたコンテンツを検出するコンテンツ検出工程と、
検出されたコンテンツによって、前記コンテンツ提供装置を所有する複数の加入者をグループ化する加入者グループ化工程と、
同一のグループ内の前記複数の加入者に対応する前記コンテンツ提供装置に、同一のグループ内の前記複数の加入者それぞれの前記コンテンツ提供装置を特定するための情報を通知する通知工程と、
前記コンテンツ提供装置が、
同一のグループ内の他の加入者の記録媒体に格納されたコンテンツを取得する取得工程と、
取得した前記コンテンツを表示装置に表示させる表示制御工程と、
を備える、
コンテンツ提供方法。
【請求項９】
アンテナを介して地上波コンテンツを受信し、受信した地上波コンテンツの少なくとも一部を記録媒体に格納するコンテンツ提供装置と、複数の前記コンテンツ提供装置を管理する管理装置と、を備えるコンテンツ管理システムであって、
前記管理装置は、
前記コンテンツ提供装置を所有する複数の加入者の記録媒体に格納されたコンテンツを検出するコンテンツ検出部と、
検出されたコンテンツによって、前記コンテンツ提供装置を所有する複数の加入者をグループ化する加入者グループ化部と、
同一のグループ内の前記複数の加入者に対応する前記コンテンツ提供装置に、同一のグループ内の前記複数の加入者それぞれの前記コンテンツ提供装置を特定するための情報を通知する通知部と、
を有し、
前記コンテンツ提供装置は、
同一のグループ内の他の加入者の記録媒体に格納されたコンテンツを取得する取得部と、
前記取得部が取得した前記コンテンツを表示装置に表示させる表示制御部と、
を有する、
コンテンツ管理システム。
【発明の詳細な説明】
【技術分野】
【０００１】
本発明は、コンテンツを提供する装置及び方法に関する。
【背景技術】
【０００２】
ビデオコンテンツ（例えば、Ｓｏｃｉａｌ  ＶＯＤ（Ｖｉｄｅｏ  Ｏｎ  Ｄｅｍａｎｄ））は、ディジタルＴＶ技術の発展、多様なコンテンツの制作および共有、時間の制約なしにいつどこでも様々な端末を介して放送を視聴しようとする加入者の要求などで、その需要がますます増えている。
【０００３】
一方、放送局から送出される地上波放送信号を無線通信網を介してアンテナ（スマートアンテナ）で受信し、受信した放送信号を無線近距離通信網を介してディスプレイ端末に無線でストリーミングする放送信号中継装置及び方法が開示されている（特許文献１及び２参照）。
【０００４】
録画は、個人の視聴者が録画を選択して視聴しようとするプログラムを録画するもので、ＶＯＤは、個人の好みとは関係なく事業者が既に放送されたプログラムを再び視聴できるように提供するもので、大概の場合視聴するたびに決まった金額を支払うか一定期間の間に決まった金額を支払うことになっている。
【０００５】
一般のアンテナベースの地上波Ｌｉｖｅ  ＴＶ、スマートアンテナベースの地上波Ｌｉｖｅ  ＴＶ、及び既存の有料Ｐａｙ  ＴＶ（ケーブル／衛星／インターネット）の差を表１に示す。
【０００６】
【表１】
2018050270.tif 000003
【０００７】
ここで、スマートアンテナと言うのは、特許文献１及び２に記載された、放送局から送出される地上波放送信号を無線放送網を介して受信し、受信した放送信号を無線近距離通信網を介してディスプレイ端末に無線でストリーミングするアンテナを言う。
【先行技術文献】
【特許文献】
【０００８】
【特許文献１】米国特許第９３１３５５２号明細書
【特許文献２】米国特許第９３０４１８１号明細書
【発明の概要】
【発明が解決しようとする課題】
【０００９】
スマートアンテナは、内蔵または外付け記録媒体にＬｉｖｅ  ＴＶ放送を録画する機能がある。しかし、スマートアンテナを用いてＶＯＤサービスを受けるためには、スマートアンテナに大容量の記録媒体を設けてほとんどすべてのプログラムをユーザー自身が録画しないといけないという問題がある。
【００１０】
このような問題を解決するためには、制限された容量の記録媒体を有するスマートアンテナを用いたＴＶ同士でＶＯＤを提供するソーシャルネットワーク（Ｓｏｃｉａｌ  Ｎｅｔｗｏｒｋ）を構築することが一つのソリューションとして挙げられる。
【００１１】
本発明が解決しようとする一つの技術的課題は、少なくとも前述した問題を解決するために、制限された容量の記録媒体を有するスマートアンテナを用いたＴＶ同士でＶＯＤを提供するソーシャルネットワークを構築するための装置及び方法を提供することである。
【００１２】
上記以外の本発明の技術的課題及び目的は、以下の実施例に関する記載を通して容易に理解されることであろう。
【課題を解決するための手段】
【００１３】
本発明の実施例においては、アンテナを介して地上波コンテンツを受信し、受信した地上波コンテンツの少なくとも一部を記録媒体に格納するコンテンツ提供装置であって、コンテンツ提供装置を所有する他の加入者の記録媒体に格納されたコンテンツを検出するコンテンツ検出部と、検出されたコンテンツによって、コンテンツ提供装置を所有する複数の加入者をグループ化する加入者グループ化部と、同一のグループ内の複数の加入者との間で、コンテンツの共有を行うコンテンツ共有部と、を備える、コンテンツ提供装置を提供する。
【００１４】
本発明の実施例においては、アンテナを介して地上波コンテンツを受信し、受信した地上波コンテンツの少なくとも一部を記録媒体に格納するコンテンツ提供装置と、複数のコンテンツ提供装置を管理する管理装置と、を備えるコンテンツ管理システムであって、管理装置は、コンテンツ提供装置を所有する複数の加入者の記録媒体に格納されたコンテンツを検出するコンテンツ検出部と、検出されたコンテンツによって、コンテンツ提供装置を所有する複数の加入者をグループ化する加入者グループ化部と、同一のグループ内の複数の加入者に対応するコンテンツ提供装置に、同一のグループ内の複数の加入者それぞれのコンテンツ提供装置を特定するための情報を通知する通知部と、を有し、コンテンツ提供装置は、同一のグループ内の他の加入者の記録媒体に格納されたコンテンツを取得する取得部と、取得部が取得したコンテンツを表示装置に表示させる表示制御部と、を有する、コンテンツ管理システムを提供する。
【００１５】
本発明の実施例において、記録媒体は、コンテンツ提供装置に内蔵された記録媒体、コンテンツ提供装置に接続された外付け記録媒体、コンテンツ提供装置に接続された表示装置に内蔵された記録媒体、コンテンツ提供装置に接続された表示装置に接続された外付け記録媒体、及びコンテンツ提供装置が接続されたネットワークを介してコンテンツ提供装置がアクセス可能な記録媒体のうち少なくとも一つを含む。
【００１６】
本発明の実施例において、加入者と加入者の保有コンテンツを関連付けて格納する加入者保有コンテンツ格納部をさらに備え、コンテンツ検出部は、第１加入者が特定のチャネルの放送コンテンツの録画を開始すると、録画を開始した放送コンテンツを特定するためのコンテンツ識別情報を含む録画開始通知を他のコンテンツ提供装置に通知するコンテンツ録画通知部を含み、加入者保有コンテンツ格納部は、前記コンテンツ識別情報により特定される特定チャネルの放送コンテンツを記録媒体に格納し、加入者グループ化部は、加入者保有コンテンツ格納部に格納された特定チャネルの放送コンテンツと同一のコンテンツに対応するコンテンツ識別情報を含む録画開始通知を送信した他のコンテンツ提供装置の第２加入者と、第１加入者とをグループ化し、 コンテンツ共有部は、第1加入者の録画コンテンツと第２加入者の録画コンテンツのうち、重複しないコンテンツを第１加入者と第２加入者との間で共有させる。
【００１７】
本発明の実施例において、コンテンツ共有部は、第１加入者の録画コンテンツと第２加入者の録画コンテンツのうち、重複しないコンテンツを第１加入者と第２加入者のそれぞれが必要とする必要コンテンツと判断し、第１加入者と前記第２加入者が接続されたネットワークを介して必要コンテンツを第１加入者と第２加入者の記録媒体にそれぞれ転送して記録する。
【００１８】
本発明の実施例において、コンテンツ共有部は、第１加入者の録画コンテンツと第２加入者の録画コンテンツのうち、重複しないコンテンツを第１加入者と第２加入者のそれぞれが必要とする必要コンテンツと判断し、第１加入者と前記第２加入者が接続されたネットワークを介して必要コンテンツを第１加入者と第２加入者との間でＰ２Ｐでストリーミングする。
【００１９】
本発明の実施例において、コンテンツ共有部は、第１加入者の録画コンテンツと第２加入者の録画コンテンツのうち、重複しないコンテンツを第１加入者と第２加入者のそれぞれが必要とする必要コンテンツと判断して、第１加入者と前記第２加入者が接続されたネットワークを介して接続されるサーバーの記録媒体に格納し、ネットワークを介してサーバーから必要コンテンツを第１加入者と第２加入者にストリーミングする。
【００２０】
本発明の実施例においては、アンテナを介して地上波コンテンツを受信し、受信した地上波コンテンツの少なくとも一部を記録媒体に格納するコンテンツ提供装置で加入者の間でコンテンツを提供する方法であって、コンテンツ提供装置を所有する他の加入者の記録媒体に格納されたコンテンツを検出するコンテンツ検出工程と、検出されたコンテンツによって、コンテンツ提供装置を所有する複数の加入者をグループ化する加入者グループ化工程と、同一のグループ内の複数の加入者との間で、コンテンツの共有を行うコンテンツ共有工程と、を備える、コンテンツ提供方法を提供する。
【００２１】
本発明の実施例においては、アンテナを介して地上波コンテンツを受信し、受信した地上波コンテンツの少なくとも一部を記録媒体に格納するコンテンツ提供装置と、複数のコンテンツ提供装置を管理する管理装置と、を備えるコンテンツ管理システムでコンテンツを提供する方法であって、管理装置が、コンテンツ提供装置を所有する複数の加入者の記録媒体に格納されたコンテンツを検出するコンテンツ検出工程と、検出されたコンテンツによって、コンテンツ提供装置を所有する複数の加入者をグループ化する加入者グループ化工程と、同一のグループ内の複数の加入者に対応するコンテンツ提供装置に、同一のグループ内の複数の加入者それぞれのコンテンツ提供装置を特定するための情報を通知する通知工程と、コンテンツ提供装置が、同一のグループ内の他の加入者の記録媒体に格納されたコンテンツを取得する取得工程と、取得したコンテンツを表示装置に表示させる表示制御工程と、を備える、コンテンツ提供方法を提供する。
【００２２】
【発明の効果】
【００２３】
本発明の少なくとも一つの実施例によれば、ＶＯＤを提供するソーシャルネットワークを構築するための装置及び方法を提供することができるという効果を奏する。
【図面の簡単な説明】
【００２４】
【図１】本発明の少なくとも一つの実施例に係るスマートアンテナを用いた放送信号中継システム概略図である。
【図２】本発明の少なくとも一つの実施例に係るスマートアンテナの構成を示すブロック図である。
【図３】本発明の少なくとも一つの実施例に係るコンテンツ提供装置の構成を示すブロック図である。
【図４】本発明の少なくとも一つの実施例に係るコンテンツ提供装置の構成を示すブロック図である。
【図５】本発明の少なくとも一つの実施例に係るコンテンツ提供方法を示すフローチャートである。
【図６】本発明の少なくとも一つの実施例に係るコンテンツ提供方法を示すフローチャートである。
【発明を実施するための形態】
【００２５】
以下では、添付の図面を参照して、本発明の少なくとも一つの実施例に係るコンテンツメニュー提供装置及び方法について詳しく説明する。各図面の構成要素に参照番号を割り当てることにおいて、同一の構成要素に対しては、たとえほかの図面上に表示されていても、可能な限り同一の符号を割り当てることにしている。また、本発明の実施例を説明することにおいて、関連した公知の構成または機能に関する具体的な説明が本発明の要旨を薄められると判断する場合は、その詳細な説明を省略している。
【００２６】
図１は、本発明の少なくとも一つの実施例に係るスマートアンテナ（コンテンツ提供装置、１２０）を用いた放送信号中継システム概略図である。
【００２７】
図１に示すように、本発明の少なくとも一つの実施例に係るスマートアンテナ（１２０）は、家庭内に位置する複数のディスプレイ端末（１４０）と無線通信ネットワーク（１３０）を介して接続される。
【００２８】
スマートアンテナ（１２０）は、地上波放送局（１００）とディスプレイ端末（１４０）との間で地上波放送信号を中継するコンテンツ提供装置である。即ち、スマートアンテナ（１２０）は、地上波放送局（１００）から送出される地上波放送信号を無線通信網（１１０）を介して受信し、受信した地上波放送信号を無線通信ネットワーク（１３０）を介して無線でディスプレイ端末（１４０）にストリーミングする。
【００２９】
ディスプレイ端末（１４０）は、スマートアンテナ（１２０）からストリーミングされる地上波放送信号を無線通信ネットワーク（１３０）を介して受信し、受信した地上波放送信号を表示（画面出力）する。ディスプレイ端末（１４０）は、ＴＶのみならず、デスクトップ型コンピューター、ノートブックコンピューター、ワークステーション、パームトップ（Ｐａｌｍｔｏｐ）コンピューター、ＵＭＰＣ（Ｕｌｔｒａ  Ｍｏｂｉｌｅ  Ｐｅｒｓｏｎａｌ  Ｃｏｍｐｕｔｅｒ）、タブレット、個人用携帯端末機（Ｐｅｒｓｏｎａｌ  Ｄｉｇｉｔａｌ  Ａｓｓｉｓｔａｎｔ：ＰＤＡ）、ウェブパッド、スマートフォンなど、格納装置とマイクロプロセッサーを搭載した端末である。
【００３０】
地上波放送局（１００）は、地上波Ｌｉｖｅ  ＴＶをリアルタイムで放送する。即ち、地上波放送局（１００）は、ドラマ、ニュース、映画などの様々なＬｉｖｅ  ＴＶプログラムを地上波放送信号に変換して無線通信網（１１０）を介して送出する。放送用衛星（不図示）を介して地上波放送信号を送出する形態もこれに含まれる。
【００３１】
無線通信ネットワーク（１３０）は、各種のデータを送受信するための通信ネットワークで、ＷｉＦｉネットワーク、ＮＦＣ（Ｎｅａｒ  Ｆｉｅｌｄ  Ｃｏｍｍｕｎｉｃａｔｉｏｎ）、Ｂｌｕｅｔｏｏｔｈ（登録商標）などの近距離無線通信ネットワークを含む。
【００３２】
このように、スマートアンテナ（１２０）は、地上波放送局（１００）から無線で受信した地上波放送信号を、有線ケーブルを用いずに、ディスプレイ端末（１４０）に無線でストリーミングするので、放送受信感度の良い最適の場所にスマートアンテナ（１２０）を設置することができる。
【００３３】
本発明の少なくとも一つの実施に係るスマートアンテナ（１２０）は、最適の設置場所を探して設置するスマート設置（Ｓｍａｒｔ  Ｉｎｓｔａｌｌａｔｉｏｎ）が可能であり、既存のＴＶアンテナで使用するケーブルを必要としない。さらに、本発明の少なくとも一つの実施に係るスマートアンテナ（１２０）は、地上波Ｌｉｖｅ  ＴＶプログラムをダイレクトでストリーミング及び録画することができ、既存のＴＶアンテナを再活用することもできる。特に、本発明の少なくとも一つの実施に係るスマートアンテナ（１２０）は、スマートユーザーインタフェースを介して便利なＴＶプログラムガイドを提供する。
【００３４】
本発明の少なくとも一つの実施において、スマートアンテナ（１２０）は、無線通信網（１１０）などのネットワークを介して、地上波Ｌｉｖｅ  ＴＶプログラムの提供サービスに加入している他の加入者のスマートアンテナ（１２０）との間でＰ２Ｐ（Ｐｅｒｓｏｎ  ｔｏ  Ｐｅｒｓｏｎ）でデータを送受信することができる。例えば、スマートアンテナ（１２０）は、他の加入者のスマートアンテナ（１２０）との間で、記録媒体に格納している番組に関する情報を共有する。そして、スマートアンテナ（１２０）は、各加入者に関連付けられた記録媒体に記憶されているコンテンツに基づいて、複数の加入者をグループ化する。スマートアンテナ（１２０）は、例えば、同じ番組の一部を記憶しているスマートアンテナ（１２０）の加入者を同じグループにする。「同じ番組の一部」とは、一つの番組の放映時間の少なくとも一部の時間の番組コンテンツ、及び連続ドラマ番組の一話の両方を含む。スマートアンテナ（１２０）は、同じグループ内の他のスマートアンテナ（１２０）の加入者が記録媒体に格納しているコンテンツにアクセスできる。
【００３５】
図２は、本発明の少なくとも一つの実施例に係るスマートアンテナ（１２０）の構成を示すブロック図である。
【００３６】
図２に示すように、本発明の少なくとも一つの実施例に係るスマートアンテナ（１２０）は、放送送受信部（１２１）、放送信号変換部（１２２）、放送ストリーミング部（１２３）、制御部（１２５）、及び格納部（１２６）を含む。
【００３７】
放送送受信部（１２１）は、地上波放送局（１００）から送出される地上波放送信号を無線通信網（１１０）を介して受信する。
【００３８】
放送信号変換部（１２２）は、放送送受信部（１２１）を介して受信した地上波放送信号を無線通信ネットワーク（１３０）を介してディスプレイ端末（１４０）に提供するように放送信号の形式を変換する。即ち、放送信号変換部（１２２）は、無線通信網（１１０）による形式である地上波放送信号を無線通信ネットワーク（１３０）による形式に変換する。例えば、無線通信ネットワーク（１３０）がＷｉＦｉネットワークの場合、放送信号変換部（１２２）は、受信した地上波放送信号をＷｉＦｉ形式に変換する。
【００３９】
放送ストリーミング部（１２３）は、放送信号変換部（１２２）で変換した放送信号を無線通信ネットワーク（１３０）を介してディスプレイ端末（１４０）に無線でストリーミングする。ディスプレイ端末（１４０）は、受信した放送信号を画面出力する。
【００４０】
本発明の少なくとも一つの実施例で、放送ストリーミング部（１２３）は、放送信号変換部（１２２）で変換した放送信号を無線通信ネットワーク（１３０）を介して複数のディスプレイ端末（１４１、１４２、１４３、・・・）それぞれに無線でストリーミングする。ここで、複数のディスプレイ端末（１４１、１４２、１４３、・・・）それぞれに無線でストリーミングされる放送信号のチャネルは互いに異なるチャネルでも良い。例えば、複数のディスプレイ端末（１４１、１４２、１４３、・・・）それぞれのユーザーが視聴しようとするチャネルが異なる場合、放送ストリーミング部（１２３）は、複数のディスプレイ端末（１４１、１４２、１４３、・・・）それぞれに合う放送チャネルの放送信号をストリーミングする。
【００４１】
制御部（１２５）は、スマートアンテナ（１２０）の全般的な動作を制御する。即ち、制御部（１２５）は、放送送受信部（１２１）、放送信号変換部（１２２）、及び放送ストリーミング部（１２３）それぞれの動作を制御し、地上波放送局（１００）から送出される地上波放送信号をディスプレイ端末（１４０）に伝達する。
【００４２】
制御部（１２５）は、ＣＰＵ（Ｃｅｎｔｒａｌ  Ｐｒｏｃｅｓｓｉｎｇ  Ｕｎｉｔ）などのプロセッサを備えて、各種の演算装置を使用し、スマートアンテナ（１２０）の全般的な動作を制御する。
【００４３】
格納部（１２６）は、受信した地上波放送信号のうち、録画しようとする放送プログラムを格納する。本発明の少なくとも一つの実施例で、格納部（１２６）は、放送信号変換部（１２２）で変換した形式の放送プログラムを格納する。本発明の少なくとも一つの実施例で、格納部（１２６）は、一般的な動画像圧縮技術を用いてＭＰＥＧ、ＡＶＩなどの形式で放送プログラムを格納する。格納された放送プログラムは、その後ＶＯＤとして活用される。
【００４４】
本発明の少なくとも一つの実施例で、スマートアンテナ（１２０）は、カメラ部（イメージ取得部、１２４）をさらに含む。カメラ部（１２４）は、スマートアンテナ（１２０）の前方のイメージを取得する。例えば、カメラ部（１２４）は、撮像素子（不図示）を用いて、ＴＶを作動するユーザーのイメージを取得する。
【００４５】
図３は、本発明の少なくとも一つの実施例に係るコンテンツ提供装置（３００）の構成を示すブロック図である。
【００４６】
図３に示すように、本発明の少なくとも一つの実施例に係る地上波Ｌｉｖｅ  ＴＶ（ディスプレイ端末（１４０））でＳｏｃｉａｌ  コンテンツ提供装置（３００）は、コンテンツ検出部（３１０）、加入者グループ化部（３２０）、コンテンツ共有部（３３０）、及び加入者保有コンテンツ格納部（３４０）を含む。
【００４７】
コンテンツ提供装置（３００）は、それぞれのスマートアンテナ（１２０）を介して地上波コンテンツを受信し、受信した地上波コンテンツの少なくとも一部を記録媒体に格納する複数の加入者とサーバー（不図示）がネットワーク（不図示）を介して接続されたシステム（不図示）で加入者の間でコンテンツを提供する。本発明の少なくとも一つの実施例で、複数の加入者とサーバーを接続するネットワークは、インターネットを介したネットワークである。
【００４８】
コンテンツ提供装置（３００）は、スマートアンテナ（１２０）の制御部（１２５）の中にプログラムモジュールとして実現することができる。
【００４９】
コンテンツ検出部（３１０）は、各加入者の記録媒体に格納されたコンテンツを検出する。コンテンツを格納する記録媒体は、スマートアンテナ（１２０）に内蔵された記録媒体（格納部（１２６））、スマートアンテナ（１２０）に接続された外付け記録媒体（不図示）、地上波Ｌｉｖｅ  ＴＶに内蔵された記録媒体（不図示）、地上波Ｌｉｖｅ  ＴＶに接続された外付け記録媒体（不図示）、及びネットワークを介してスマートアンテナ（１２０）または地上波Ｌｉｖｅ  ＴＶと接続されたウェブハードまたはクラウドタイプの記録媒体（不図示）のうち少なくとも一つを含む。記録媒体は、ハードディスク、ＳＤメモリーカード、ＵＳＢメモリー、ＳＳＤ（Ｓｏｌｉｄ  Ｓｔａｔｅ  Ｄｒｉｖｅ）のうち、少なくとも一つを含む。
【００５０】
加入者グループ化部（３２０）は、検出されたコンテンツによって加入者をグループ化する。具体的には、加入者グループ化部（３２０）は、他のスマートアンテナ（１２０）に対して、他のスマートアンテナ（１２０）のユーザーである加入者に関連付けて記録媒体に格納されたコンテンツを特定するための情報を要求する。加入者グループ化部（３２０）は、自身を含むスマートアンテナ（１２０）の加入者Ａと同じコンテンツを記録媒体に格納している他の加入者を、加入者Ａと同じグループにすることにより、加入者同士をグループ化する。例えば、加入者Ａが特定のドラマのシリーズのうち第１話、第４話、第７話及び第１０話を録画し、加入者Ｂが同一のドラマのシリーズのうち第２話、第５話、第８話、及び第１１話を録画し、加入者Ｃが同一のドラマのシリーズのうち第３話、第６話、第９話、及び第１２話を録画した場合、加入者グループ化部（３２０）は、加入者Ａ、Ｂ、及びＣがそれぞれ録画したコンテンツを共有するようにこれらの加入者をグループ化する。
【００５１】
加入者グループ化部（３２０）は、特定のドラマなどの番組の第１話が終わった時点で、第１話を記録媒体に格納した加入者を同じグループにしてもよい。そして、加入者グループ化部（３２０）は、同じグループ内の加入者数が所定の数に満たない場合に、第１話の次の第２話が終わった時点で、第２話を記録媒体に格納した加入者を、さらに同じグループに追加し、同じグループ内の加入者数が所定の数に達している場合に、第２話以降に加入者を同じグループに追加しないようにしてもよい。
【００５２】
また、加入者グループ化部（３２０）は、同じグループの加入者が、その後、同じ番組を記録媒体に格納していないことを検出すると、当該加入者をグループから除外し、第２話以降の番組を記録媒体に格納している他の加入者を同じグループに追加してもよい。このようにすることで、他の加入者が同じ番組を見なくなった場合に、同じ番組を録画する可能性が高い他の加入者に切り替えることが可能になる。
【００５３】
コンテンツ共有部（３３０）は、同一のグループ内の加入者の間でコンテンツの共有を行う。加入者保有コンテンツ格納部（３４０）は、加入者と当該加入者の保有コンテンツを関連付けて格納する。
【００５４】
コンテンツ検出部（３１０）は、第１加入者が特定のチャネルの放送コンテンツの録画を開始すると、これをサーバーに通知するコンテンツ録画通知部（３１１）を含む。
【００５５】
加入者保有コンテンツ格納部（３４０）は、サーバーから第1加入者の特定のチャネルの放送コンテンツの録画内容を受信し、第１加入者と当該第１加入者の録画コンテンツを関連付けて格納する。
【００５６】
加入者グループ化部（３２０）は、加入者保有コンテンツ格納部（３４０）に特定のチャネルの放送コンテンツを既に録画した第２加入者が格納されている場合、第１加入者と第２加入者をグループ化し、コンテンツ共有部（３３０）は、第１加入者の録画コンテンツと第２加入者の録画コンテンツのうち重複しないコンテンツを第１加入者と第２加入者との間で共有させる。
【００５７】
本発明の少なくとも一つの実施例で、コンテンツ共有部（３３０）は、第１加入者の録画コンテンツと第２加入者の録画コンテンツのうち、重複しないコンテンツを第１加入者と第２加入者のそれぞれが必要とする必要コンテンツと判断し、ネットワークを介して必要コンテンツを第１加入者と第２加入者の記録媒体にそれぞれ転送して記録する。
【００５８】
本発明の少なくとも一つの実施例で、コンテンツ共有部（３３０）は、第１加入者の録画コンテンツと第２加入者の録画コンテンツのうち、重複しないコンテンツを第１加入者と第２加入者のそれぞれが必要とする必要コンテンツと判断し、ネットワークを介して必要コンテンツを第１加入者と第２加入者との間でＰ２Ｐでストリーミングする。
【００５９】
本発明の少なくとも一つの実施例で、コンテンツ共有部（３３０）は、第１加入者の録画コンテンツと第２加入者の録画コンテンツのうち、重複しないコンテンツを第１加入者と第２加入者のそれぞれが必要とする必要コンテンツと判断してサーバーの記録媒体に格納し、ネットワークを介してサーバーの記録媒体から必要コンテンツを第１加入者と第２加入者にストリーミングする。
【００６０】
図４は、本発明の少なくとも一つの実施例に係るコンテンツ提供装置（４００）の構成を示すブロック図である。
【００６１】
図４に示すように、本発明の少なくとも一つの実施例に係るコンテンツ提供装置（４００）は、コンテンツ検出部（４１０）、グループ候補加入者推薦部（４２０）、加入者グループ化部（４３０）、コンテンツ共有部（４４０）、及び加入者保有コンテンツ格納部（４５０）を含む。
【００６２】
コンテンツ提供装置（４００）は、それぞれのスマートアンテナ（１２０）を介して地上波コンテンツを受信し、受信した地上波コンテンツの少なくとも一部を記録媒体に格納する複数の加入者とサーバー（不図示）がネットワーク（不図示）を介して接続されたシステム（不図示）で加入者の間でコンテンツを提供する。本発明の少なくとも一つの実施例で、複数の加入者とサーバーを接続するネットワークは、インターネットを介したネットワークである。
【００６３】
コンテンツ提供装置（４００）は、スマートアンテナ（１２０）の制御部（１２５）の中にプログラムモジュールとして実現することができる。
【００６４】
コンテンツ検出部（４１０）は、各加入者の記録媒体に格納されたコンテンツを検出する。コンテンツを格納する記録媒体は、スマートアンテナ（１２０）に内蔵された記録媒体（格納部（１２６））、スマートアンテナ（１２０）に接続された外付け記録媒体（不図示）、地上波Ｌｉｖｅ  ＴＶに内蔵された記録媒体（不図示）、地上波Ｌｉｖｅ  ＴＶに接続された外付け記録媒体（不図示）、及びネットワークを介してスマートアンテナ（１２０）または地上波Ｌｉｖｅ  ＴＶと接続されたウェブハードまたはクラウドタイプの記録媒体（不図示）のうち少なくとも一つを含む。記録媒体は、ハードディスク、ＳＤメモリーカード、ＵＳＢメモリー、ＳＳＤ（Ｓｏｌｉｄ  Ｓｔａｔｅ  Ｄｒｉｖｅ）のうち、少なくとも一つを含む。
【００６５】
グループ候補加入者推薦部（４２０）は、検出されたコンテンツによって加入者をグループ化するためのグループ候補加入者を各加入者に推薦する。例えば、加入者Ａが特定のドラマのシリーズのうち第１話、第４話、第７話及び第１０話を録画し、加入者Ｂが同一のドラマのシリーズのうち第２話、第５話、第８話、及び第１１話を録画し、加入者Ｃが同一のドラマのシリーズのうち第３話、第６話、第９話、及び第１２話を録画した場合、グループ候補加入者推薦部（４２０）は、加入者Ａ、Ｂ、及びＣがそれぞれ録画したコンテンツを共有するように、これらの加入者同士を推薦する。
【００６６】
グループ候補加入者推薦部（４２０）からグループ候補加入者の推薦を受けた加入者がグループ候補加入者からグループ化しようとする候補加入者を選択すると、加入者グループ化部（４３０）は、加入者と当該加入者が選択した候補加入者をグループ化する。
【００６７】
コンテンツ共有部（４４０）は、同一のグループ内の加入者の間で、コンテンツの共有を行う。加入者保有コンテンツ格納部（４５０）は、加入者と当該加入者の保有コンテンツを関連付けて格納する。
【００６８】
コンテンツ検出部（４１０）は、第１加入者が特定のチャネルの放送コンテンツの録画を開始すると、これをサーバーに通知するコンテンツ録画通知部（４１１）を含む。
【００６９】
加入者保有コンテンツ格納部（４５０）は、コンテンツ録画通知を受信して第１加入者と当該第１加入者の録画コンテンツを関連付けて格納する。
【００７０】
グループ候補加入者推薦部（４２０）は、加入者保有コンテンツ格納部（４５０）に特定のチャネルの放送コンテンツを既に録画した第２加入者が格納されている場合、第１加入者と第２加入者との間で互いにグループ候補加入者として推薦し、第１加入者と第２加入者が相手を候補加入者として選択すると、加入者グループ化部（４３０）は、第１加入者と第２加入者をグループ化し、コンテンツ共有部（４４０）は、第1加入者の録画コンテンツと第２加入者の録画コンテンツのうち、重複しないコンテンツを第１加入者と第２加入者との間で共有させる。
【００７１】
本発明の少なくとも一つの実施例で、コンテンツ共有部（４４０）は、第１加入者の録画コンテンツと第２加入者の録画コンテンツのうち、重複しないコンテンツを第１加入者と第２加入者のそれぞれが必要とする必要コンテンツと判断し、ネットワークを介して必要コンテンツを第１加入者と第２加入者の記録媒体にそれぞれ転送して記録する。
【００７２】
本発明の少なくとも一つの実施例で、コンテンツ共有部（４４０）は、第１加入者の録画コンテンツと第２加入者の録画コンテンツのうち、重複しないコンテンツを第１加入者と第２加入者のそれぞれが必要とする必要コンテンツと判断し、ネットワークを介して必要コンテンツを第１加入者と第２加入者との間でＰ２Ｐでストリーミングする。
【００７３】
本発明の少なくとも一つの実施例で、コンテンツ共有部（４４０）は、第１加入者の録画コンテンツと第２加入者の録画コンテンツのうち、重複しないコンテンツを第１加入者と第２加入者のそれぞれが必要とする必要コンテンツと判断してサーバーの記録媒体に格納し、ネットワークを介してサーバーの記録媒体から必要コンテンツを第１加入者と第２加入者にストリーミングする。
【００７４】
図５は、本発明の少なくとも一つの実施例に係るコンテンツ提供方法を示すフローチャートである。図５は、コンテンツ提供装置（３００）が行う方法を示す。
【００７５】
本発明の少なくとも一つの実施例に係るコンテンツ提供方法は、それぞれアンテナを介して地上波コンテンツを受信し、受信した地上波コンテンツの少なくとも一部を記録媒体に格納する複数の加入者とサーバーがネットワークを介して接続されたシステムで、加入者の間でコンテンツを提供する。本発明の少なくとも一つの実施例で、複数の加入者とサーバーを接続するネットワークは、インターネットを介したネットワークである。
【００７６】
まず、コンテンツ検出部（３１０）が各加入者の記録媒体に格納されたコンテンツを検出する（ステップＳ５１０）。コンテンツを格納する記録媒体は、スマートアンテナ（１２０）に内蔵された記録媒体（格納部（１２６））、スマートアンテナ（１２０）に接続された外付け記録媒体（不図示）、地上波Ｌｉｖｅ  ＴＶに内蔵された記録媒体（不図示）、地上波Ｌｉｖｅ  ＴＶに接続された外付け記録媒体（不図示）、及びネットワークを介してスマートアンテナ（１２０）または地上波Ｌｉｖｅ  ＴＶと接続されたウェブハードまたはクラウドタイプの記録媒体（不図示）のうち少なくとも一つを含む。記録媒体は、ハードディスク、ＳＤメモリーカード、ＵＳＢメモリー、ＳＳＤ（Ｓｏｌｉｄ  Ｓｔａｔｅ  Ｄｒｉｖｅ）のうち、少なくとも一つを含む。
【００７７】
加入者グループ化部（３２０）が検出されたコンテンツによって加入者をグループ化する(ステップＳ５２０)。例えば、加入者Ａが特定のドラマのシリーズのうち第１話、第４話、第７話及び第１０話を録画し、加入者Ｂが同一のドラマのシリーズのうち第２話、第５話、第８話、及び第１１話を録画し、加入者Ｃが同一のドラマのシリーズのうち第３話、第６話、第９話、及び第１２話を録画した場合、加入者グループ化部（３２０）は、加入者Ａ、Ｂ、及びＣがそれぞれ録画したコンテンツを共有するようにこれらの加入者をグループ化する。
【００７８】
コンテンツ共有部（３３０）が同一のグループ内の加入者の間でコンテンツの共有を行う(ステップＳ５３０)。
【００７９】
ステップＳ５１０は、第１加入者が特定のチャネルの放送コンテンツの録画を開始すると、これをサーバーに通知する工程と、コンテンツ録画通知を受信して第１加入者と当該第１加入者の録画コンテンツを関連付けて格納する工程とを含む。
【００８０】
ステップＳ５２０は、特定のチャネルの放送コンテンツを既に録画した第２加入者が格納されている場合、第１加入者と第２加入者をグループ化する工程を含み、ステップＳ５３０は、第１加入者の録画コンテンツと第２加入者の録画コンテンツのうち重複しないコンテンツを第１加入者と第２加入者との間で共有させる工程を含む。
【００８１】
本発明の少なくとも一つの実施例で、ステップＳ５３０は、第１加入者の録画コンテンツと第２加入者の録画コンテンツのうち、重複しないコンテンツを第１加入者と第２加入者のそれぞれが必要とする必要コンテンツと判断し、ネットワークを介して必要コンテンツを第１加入者と第２加入者の記録媒体にそれぞれ転送して記録する工程を含む。
【００８２】
本発明の少なくとも一つの実施例で、ステップＳ５３０は、第１加入者の録画コンテンツと第２加入者の録画コンテンツのうち、重複しないコンテンツを第１加入者と第２加入者のそれぞれが必要とする必要コンテンツと判断し、ネットワークを介して必要コンテンツを第１加入者と第２加入者との間でＰ２Ｐでストリーミングする工程を含む。
【００８３】
本発明の少なくとも一つの実施例で、ステップＳ５３０は、第１加入者の録画コンテンツと第２加入者の録画コンテンツのうち、重複しないコンテンツを第１加入者と第２加入者のそれぞれが必要とする必要コンテンツと判断してサーバーの記録媒体に格納し、ネットワークを介してサーバーの記録媒体から必要コンテンツを第１加入者と第２加入者にストリーミングする工程を含む。
【００８４】
図６は、本発明の少なくとも一つの実施例に係るコンテンツ提供方法を示すフローチャートである。図６は、コンテンツ提供装置（４００）が行う方法を示す。
【００８５】
本発明の少なくとも一つの実施例に係るコンテンツ提供方法は、それぞれアンテナを介して地上波コンテンツを受信し、受信した地上波コンテンツの少なくとも一部を記録媒体に格納する複数の加入者とサーバーがネットワークを介して接続されたシステムで、加入者の間でコンテンツを提供する。本発明の少なくとも一つの実施例で、複数の加入者とサーバーを接続するネットワークは、インターネットを介したネットワークである。
【００８６】
まず、コンテンツ検出部（４１０）が各加入者の記録媒体に格納されたコンテンツを検出する（ステップＳ６１０)。コンテンツを格納する記録媒体は、スマートアンテナ（１２０）に内蔵された記録媒体（格納部（１２６））、スマートアンテナ（１２０）に接続された外付け記録媒体（不図示）、地上波Ｌｉｖｅ  ＴＶに内蔵された記録媒体（不図示）、地上波Ｌｉｖｅ  ＴＶに接続された外付け記録媒体（不図示）、及びネットワークを介してスマートアンテナ（１２０）または地上波Ｌｉｖｅ  ＴＶと接続されたウェブハードまたはクラウドタイプの記録媒体（不図示）のうち少なくとも一つを含む。記録媒体は、ハードディスク、ＳＤメモリーカード、ＵＳＢメモリー、ＳＳＤ（Ｓｏｌｉｄ  Ｓｔａｔｅ  Ｄｒｉｖｅ）のうち、少なくとも一つを含む。
【００８７】
グループ候補加入者推薦部（４２０）が検出されたコンテンツによって加入者をグループ化するためのグループ候補加入者を各加入者に推薦する(ステップＳ６２０)。例えば、加入者Ａが特定のドラマのシリーズのうち第１話、第４話、第７話及び第１０話を録画し、加入者Ｂが同一のドラマのシリーズのうち第２話、第５話、第８話、及び第１１話を録画し、加入者Ｃが同一のドラマのシリーズのうち第３話、第６話、第９話、及び第１２話を録画した場合、グループ候補加入者推薦部（４２０）は、加入者Ａ、Ｂ、及びＣがそれぞれ録画したコンテンツを共有するように、これらの加入者同士を推薦する。
【００８８】
グループ候補加入者推薦部（４２０）からグループ候補加入者の推薦を受けた加入者がグループ候補加入者からグループ化しようとする候補加入者を選択すると、加入者グループ化部（４３０）は、加入者と当該加入者が選択した候補加入者をグループ化する(ステップＳ６３０)。
【００８９】
コンテンツ共有部（４４０）は、同一のグループ内の加入者の間で、コンテンツの共有を行う(ステップＳ６４０)。
【００９０】
ステップＳ６１０は、第１加入者が特定のチャネルの放送コンテンツの録画を開始すると、これをサーバーに通知する工程と、コンテンツ録画通知を受信して第１加入者と当該第１加入者の録画コンテンツを関連付けて格納する工程を含む。
【００９１】
ステップＳ６２０は、特定のチャネルの放送コンテンツを既に録画した第２加入者が格納されている場合、第１加入者と第２加入者との間で互いにグループ候補加入者として推薦する工程を含み、ステップＳ６３０は、第１加入者と第２加入者が相手を候補加入者として選択すると、第１加入者と第２加入者をグループ化する工程を含む。
【００９２】
ステップＳ６４０は、第1加入者の録画コンテンツと第２加入者の録画コンテンツのうち、重複しないコンテンツを第１加入者と第２加入者との間で共有させる工程を含む。
【００９３】
本発明の少なくとも一つの実施例で、ステップＳ６３０は、第１加入者の録画コンテンツと第２加入者の録画コンテンツのうち、重複しないコンテンツを第１加入者と第２加入者のそれぞれが必要とする必要コンテンツと判断し、ネットワークを介して必要コンテンツを第１加入者と第２加入者の記録媒体にそれぞれ転送して記録する工程を含む。
【００９４】
本発明の少なくとも一つの実施例で、ステップＳ６３０は、第１加入者の録画コンテンツと第２加入者の録画コンテンツのうち、重複しないコンテンツを第１加入者と第２加入者のそれぞれが必要とする必要コンテンツと判断し、ネットワークを介して必要コンテンツを第１加入者と第２加入者との間でＰ２Ｐでストリーミングする工程を含む。
【００９５】
本発明の少なくとも一つの実施例で、ステップＳ６３０は、第１加入者の録画コンテンツと第２加入者の録画コンテンツのうち、重複しないコンテンツを第１加入者と第２加入者のそれぞれが必要とする必要コンテンツと判断してサーバーの記録媒体に格納し、ネットワークを介してサーバーの記録媒体から必要コンテンツを第１加入者と第２加入者にストリーミングする工程を含む。
【００９６】
以上で説明したように、本発明の少なくとも一つの実施例によると、ＶＯＤを提供するソーシャルネットワークを構築するための装置及び方法を提供することができる。
【００９７】
上記の説明においては、スマートアンテナ（１２０）が有する加入者グループ化部（３２０）が、複数の加入者をグループ化する場合について説明したが、複数の加入者をグループ化する主体は、これに限らず、管理装置として機能する外部のサーバーであってもよい。この場合、スマートアンテナ（１２０）は、記録媒体にコンテンツが格納された場合に、どの番組のコンテンツが格納されたかをサーバーに通知し、サーバーが、コンテンツ検出部（３１０）及び加入者グループ化部（３２０）が行う処理を実行し、同一のグループ内の複数の加入者に対応するコンテンツ提供装置に、同一のグループ内の複数の加入者それぞれのコンテンツ提供装置を特定するための情報を通知する。
【００９８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００９９】
１００：地上波放送局                  １１０：無線放送網
１２０：スマートアンテナ              １２１：放送送受信部
１２２：放送信号変換部                １２３：放送ストリーミング部
１２４：カメラ部                      １２５：制御部
１２６：格納部                        １３０：無線通信ネットワーク
１４０：ディスプレイ端末
３００、４００：コンテンツ提供装置
３１０、４１０：コンテンツ検出部      ３１１、４１１：コンテンツ録画通知部
３２０、４３０：加入者グループ化部    ３３０、４４０：コンテンツ共有部
３４０、４５０：加入者保有コンテンツ格納部
４２０：グループ候補加入者推薦部
【図１】
2018050270.tif 000004
【図２】
2018050270.tif 000005
【図３】
2018050270.tif 000006
【図４】
2018050270.tif 000007
【図５】
2018050270.tif 000008
【図６】
2018050270.tif 000009